(57)【要約】【課題】本発明は、低コスト及び低消費電力で、かつ容易に複数パネル間でホワイトポイントを調整することができる液晶表示パネルを提供することを目的とする。【解決手段】本発明のバックライトは、反射シートと前記反射シート上に配置した照明と、を備え、前記照明は、蛍光ランプ及び光を線状に放射するロッド状照明管から構成される。【選択図】    図１
2006127954.tif 000002
【特許請求の範囲】
【請求項１】
反射シートと、
前記反射シート上に配置した照明と、
を備え、
前記照明は、蛍光ランプ及び光を線状に放射するロッド状照明管から構成される、バックライト。
【請求項２】
前記ロッド状発光管の少なくとも一端に光源を配置した、請求項１に記載のバックライト。
【請求項３】
前記光源は、赤・緑・青の発光素子である、請求項２に記載のバックライト。
【請求項４】
前記照明上に配置され、該照明から放射された光を拡散させる拡散シートを有する、請求項１乃至請求項３のいずれかに記載のバックライト。
【請求項５】
請求項１乃至請求項４のいずれかに記載されたバックライトの直上に液晶表示セルを載置した、液晶表示パネル。
【請求項６】
前記ロッド状発光管が放射する光の輝度及び色彩を変化させることによって、前記液晶表示パネルが放射する光の輝度及びホワイトポイントを調節可能な、請求項５に記載の液晶表示パネル。
【請求項７】
モノクローム表示であることを特徴とする、請求項５または請求項６に記載の液晶表示パネル。
【発明の詳細な説明】
【技術分野】
【０００１】
本発明は、ホワイトポイントを複数パネル間で一致させることができ、あるいは使用に伴い経時変化したホワイトポイントを再調整することができる液晶表示パネルに関するものである。
【背景技術】
【０００２】
液晶表示セルは、液晶自体が自己発光しないため、外部照射光が必要である。この外部照射光としては蛍光ランプや発光ダイオード（ＬＥＤ）あるいはエレクトロルミネッセンス（ＥＬ）を用いたもの等が知られている。しかし、消費電力・輝度・価格等の面から蛍光ランプが液晶表示パネルの外部光源、即ちバックライトとして広く用いられている。
【０００３】
バックライトには主にサイドライト方式及び直下方式がある。サイドライト方式バックライトは、アクリルなどの導光板の側面から蛍光ランプの光を入射し、導光板の反射・拡散面で光を多重反射させて液晶表示セルに光を供給する方式である。また、直下方式バックライトは、液晶表示セルの直下に一または複数の蛍光ランプを並べて液晶表示セルに光を供給する方式である。
【０００４】
上記サイドライト方式バックライトは、例えば図１０に示すように、蛍光ランプ１１２とランプリフレクタ１６２を持つ集光部と、底面にドットを設け光を導く導光板１６０、更にその下面に反射シート１１６を設け、また上部に拡散シート１１８を設けて構成される。サイドライト方式バックライト１５１は側部にランプ１１２を取り付けるので、液晶表示パネルを薄型化するために有用であり、近年主流になってきている。
【０００５】
一方、直下方式バックライトは、図９に示すように、対向する反射シート１１６と拡散シート１１８の間に蛍光ランプ１１２を配し、蛍光ランプ１１２から放射した光を反射・拡散させて面光源とする。蛍光ランプの発光量を高効率に利用できるので高輝度を得られるが、ランプを直視することになるので輝度ムラが出やすい。このため、蛍光ランプ１１２と液晶表示セル間には拡散シート１１８以外にアルミニウム蒸着したライトカーテン１２０等を挿入したり、また蛍光ランプ１１２と液晶表示セル間の距離を適度に保つように設計することによって輝度の均一化を図っている。
【０００６】
このため直下方式バックライトはサイドライト方式より厚みが厚くなるが、例えばレントゲン写真を表示する医療用モノクロパネルのような高画質・高輝度を必要とする液晶表示パネルには好適に用いられる。このような医療用液晶表示パネルは、違う角度から撮ったレントゲン写真を比較するため、あるいは患部の経時的な変化を観察するために、しばしば複数の液晶表示パネルを並べて同時に使用される。しかし、このように複数の液晶表示パネルを同時使用する場合は特に、並べられた液晶表示パネル間のわずかな表示色のずれによって医師が診断を誤る可能性がある。
【０００７】
光の色の定量化の方式は種々開発されており、ＣＩＥ表色系、Ｌ＊ａ＊ｂ＊表色系Ｌ＊ｕ＊ｖ＊表色系などが知られている。例えばＣＩＥ表色系では、公知の方法を用いて図１１（ａ）のようなＸＹ色度図（ＣＩＥ１９３１色度図）上の馬蹄形内の点ですべての可視光（３８０ｎｍ〜７８０ｎｍ）を定量的に表現することができる。
【０００８】
液晶表示パネルやバックライトの放出する光の色も、測定により定量化し、上記ＸＹ色度図上で表現することができる。例えばＣＩＥやＮＴＳＣ（National  Television  System  Committee）等の機関で定めている基準のホワイトポイント（白色）は、図１１（ａ）のＸＹ色度図（ＣＩＥ１９３１色度図）においてＸ＝０．３１、Ｙ＝０．３２付近の白色である。上記のような液晶表示パネル間の色ずれは、バックライト光源（蛍光ランプ）の発光色のばらつきによることが多く、例えば各液晶表示パネルが表示するホワイトポイントが基準のホワイトポイントからずれてしまう。
【０００９】
しかし、ホワイトポイントは各人の感覚・好み等に依存し、実際、液晶表示パネルの基準のホワイトポイントは機種・用途・製造会社によりそれぞれに決められる。パネルの製造会社は各製品のホワイトポイントに関して厳しい許容範囲を設けており、この範囲から逸脱したパネルは使用できず、歩留が非常に悪くなっていた。
【００１０】
例えば図１２はある機種の液晶表示パネルの、ＸＹ色度図（ＣＩＥ１９３１色度図）におけるＸ色座標・Ｙ色座標の分布を表す。本例では、液晶表示パネルの表示するホワイトポイントがＸ＝０．２９４±０．００５かつＹ＝０．３１２±０．００５の範囲にあれば、製品として許容範囲としている例である。本例においては、Ｘ色座標、Ｙ色座標ともに２割強の液晶表示パネルにホワイトポイントが許容範囲にずれる不良が発生していることがわかる。
【００１１】
従来、ホワイトポイントの異なる液晶表示パネル間でホワイトポイントを合わせるためには、製品完成時のばらつきに対しては、色座標の略同じパネルを選別することで対処していた。また、使用消耗によるホワイトポイントの経時変化に対しては液晶表示パネルを交換するしかなかった。しかし、ホワイトポイントが規定の範囲からずれた液晶表示パネルは不良品となり、上記のように歩留が低下していた。
【００１２】
あるいは上記不良発生の対策としては、ホワイトポイント調整が可能な発光ダイオード（ＬＥＤ）をバックライトの光源に用いて、液晶表示パネルの表示するホワイトポイントを基準ホワイトポイントに一致させる方法が考えられる。しかし、高価なＬＥＤを多数使用するために製造コストが高くなり、また消費電力が激増するという問題がある。
【００１３】
特許文献１に、主光源を蛍光ランプとし、点光源の補助光源を導光板を用いて面光源に変換する液晶表示パネルが開示されている。しかし導光板は厚く重いため、パネルサイズが大きくなればなるほど分厚く、かつ非常に重くなってしまう。
【００１４】
また、主光源と反射板の間に導光板が存在するため、主光源から放射された光の一部は導光板→反射板→導光板のように経由してパネルへ向かう。この時、導光板そのもの、あるいは導光板に刻まれた散乱ドットパターンなどによって主光源の反射効率が低下して、輝度が低下してしまう。
【００１５】
【特許文献１】特開平２０００−３１０７７６号公報
【発明の開示】
【発明が解決しようとする課題】
【００１６】
そこで本発明は、低コスト及び低消費電力で、かつ容易に複数パネル間でホワイトポイントを調整することができる液晶表示パネルを提供することを目的とする。
【００１７】
また、本発明は、使用に伴い経時変化したホワイトポイントを再調整できる液晶表示パネルを提供することを目的とする。
【課題を解決するための手段】
【００１８】
本発明のバックライトは、反射シートと前記反射シート上に配置した照明と、を備え、前記照明は、蛍光ランプ及び光を線状に放射するロッド状照明管から構成される。
【００１９】
本発明のバックライトは、前記ロッド状発光管の少なくとも一端に光源を配置した。
【００２０】
本発明のバックライトは、前記光源は、赤・緑・青の少なくとも一つの発光素子としてもよい。発光素子は例えば発光ダイオードであるが、特に限定はされない。
【００２１】
本発明のバックライトは、前記照明上に配置され、該照明から放射された光を散乱させる拡散シートを有し得る。
【００２２】
本発明の液晶表示パネルは、請求項１乃至請求項４のいずれかに記載されたバックライトの直上に液晶表示セルを載置した。
【００２３】
本発明の液晶表示パネルは、前記ロッド状発光管が放射する光の輝度及び色彩を変化させることによって、前記液晶表示パネルが放射する光の輝度及びホワイトポイントを調節可能である。
【００２４】
本発明の液晶表示パネルは、モノクローム表示であってもよい。
【００２５】
尚、本明細書において「表示するホワイトポイント」あるいは「表示ホワイトポイント」とは各パネルが表示するホワイトポイントである。表示ホワイトポイントは上述のように一般に初期ばらつきや経時ばらつきを持ち、各パネル間で異なっている。「基準のホワイトポイント」あるいは「基準ホワイトポイント」とは、ばらつきのあるパネル間のホワイトポイントを一致させるべき基準となるホワイトポイントであり、例えばＸＹ色度図（ＣＩＥ１９３１色度図）上の色座標で表される。
【００２６】
また、以下赤・緑・青の各色は、それぞれＲ・Ｇ・Ｂとも表現する。
【発明の効果】
【００２７】
本発明の液晶表示パネルは、パネル出荷時の複数パネル間の輝度及びホワイトポイントを一致させることができる。製造過程でばらつくホワイトポイントを一致させることができ、歩留が著しく向上する。
【００２８】
また、本発明の液晶表示パネルは、輝度及びホワイトポイントの経時変化に対しても複数パネル間で補正することができる。ホワイトポイントが経時変化した場合でも調整によりホワイトポイントを一致させることが可能である。
【００２９】
従って、複数のパネルを並べて見たときに感じるわずかなホワイトポイントの違いを無くすことができる。
【００３０】
更に本発明の液晶表示パネルは、主光源と反射板の間に導光板がないため、厚さを薄くでき、また軽量にできる。更に主光源の反射効率低下も防ぐことができる。
【発明を実施するための最良の形態】
【００３１】
本発明のバックライトは、図１（ａ）、（ｂ）に示すように反射シート１６と、反射シート１６上に配置した蛍光ランプ１２及び光を線状に放射するロッド状照明管２を備える。本実施形態においてロッド状発光管２は、一端または両端に光源として赤・緑・青の発光素子、例えば発光ダイオード（以下「ＬＥＤ」という。）４を配置している。尚、本明細書において、照明１０とは蛍光ランプ１２及びＬＥＤ４を含むロッド状照明管２を総称するものとする。
【００３２】
また、本発明の液晶表示パネルは図２に示すように、上記本発明のバックライト１の直上に液晶表示セル１４を載置した液晶表示パネル６である。液晶表示セル１４は特に限定されず、又、以下に詳説するバックライト１を用いる以外は従来の公知の液晶表示パネルと同様の構成としてよく、特にその構造は限定されない。
【００３３】
本発明のバックライト１において、主光源の蛍光ランプ１２は従来より用いられている安価な冷陰極管ランプでよく、上述のように各ランプ間で発光色にばらつきがあるものを液晶表示セル１４に対向する位置に配置してよい。尚、蛍光ランプ１２と液晶表示セル１４間には、図２のように拡散シート１８など複数のシートが挟まれてもよい。
【００３４】
また、図１（ｂ）に示すように、ロッド状発光管２は少なくとも一端に電源に接続されたＬＥＤ４を有している。ＬＥＤ４は公知のものを使用してよく、例えば安定した赤・緑・青の各色を発光するＬＥＤ４をロッド状発光管２に取り付ける。各色ＬＥＤ４は複数個ずつ各ロッド状発光管２に取り付けるのが好ましいが、発光強度を制御できるＬＥＤ４を各色１個ずつ各ロッド状発光管２に装着してもよい。また、ＬＥＤ４はロッド状発光管２の両端に取り付けてもよく、ロッド状発光管はロッド部分が透明であれば色・材質などは特に限定されない。
【００３５】
図１（ａ）に示すように、本実施形態においては、照明１０は主光源の蛍光ランプ１２と補助光源のロッド状発光管２を交互に配置しているが、図５のように蛍光ランプ１２間にロッド状発光管２を２本づつ配置してもよく、または３本以上配置してもよい。また、ロッド状発光管２は図６に示すように、両端又は一端にＬＥＤを配置した光ファイバーで構成しても良い。
【００３６】
その他本発明のバックライト１は、照明１０以外は従来の直下方式のバックライトと同様の構成としてよく、特にその構造は限定されない。
【００３７】
次に、ロッド状発光管２の動作について説明する。尚、液晶表示パネル６のバックライト１以外の作用は公知であるので省略する。
【００３８】
ＬＥＤ４から放射された各色光は、例えば図２のように、ロッド状発光管２の下部の反射シート１６と、ロッド状発光管２の内面で全反射を繰り返しながら往復し、ロッド状発光管２内部の全反射角より小さくなった光が液晶表示セル１４の方向に放射される。拡散シート１８等で拡散された放射光は、略均等に液晶表示セル１４内に供給され、液晶表示パネル６は表示を行なう。尚、蛍光ランプ１２の動作も同様である。
【００３９】
補助電源であるロッド状発光管２は、主電源である蛍光ランプ１２の発光により液晶表示パネル上に表示される、例えばホワイトポイントを、基準ホワイトポイントに一致させるように補正する。
【００４０】
以上のような構成の本発明に係る液晶表示パネル６は、従来の液晶表示パネルを構成する直下型バックライト内の蛍光ランプ間にロッド状発光管２を平行に配置し、ロッド状発光管２内に設置したＬＥＤ４に接続するドライバ回路を形成するだけで容易に製造することができる。
【００４１】
次にホワイトポイント調整の方法について説明する。尚、本発明の液晶表示パネル６はカラー表示であってもよいが、以下簡単のためモノクローム表示として説明する。
【００４２】
図４（ａ）は例えばＸＹ色度図（ＣＩＥ１９３１色度図）を表す概略図である。図４（ａ）において、円内は液晶表示パネル６が表示するホワイトポイントの初期ずれ範囲であるとする。円の中心が基準ホワイトポイントであり、上記円上にパネルＡ，Ｂが表示するホワイトポイントＡ，Ｂが位置しているとする。
【００４３】
図４（ｂ）を用いて各液晶表示パネルを上記初期ずれの場合のホワイトポイント調整の方法について説明する。
【００４４】
（１）各液晶表示パネルの表示するホワイトポイントＡ，Ｂと基準のホワイトポイントの色座標のずれを測定する。即ち、各パネルの表示する白色光の色座標を公知の方法で測定・計算し、基準のホワイトポイントとの色座標のずれ（ΔＸ、ΔＹ）を計算する。
【００４５】
（２）このずれ（ΔＸ、ΔＹ）が補正されるようにロッド状発光管２内の各色ＬＥＤが発光すべき光の強度を計算する。
【００４６】
（３）（２）の計算より各色ＬＥＤの発光強度を調整し、それぞれ発光させて各液晶表示パネルのホワイトポイントを基準のホワイトポイントにあわせる。
【００４７】
以上の操作により、液晶表示パネルＡ及び液晶表示パネルＢの表示するホワイトポイントを所望の基準ホワイトポイントに略合わせることができる。
【００４８】
次に、図４（ｃ）を用いて各液晶表示パネル６の使用により、表示ホワイトポイントが経時変化した場合のホワイトポイント再調整の方法について説明する。
【００４９】
経時変化は矢印に示すように方向性が決まっており、上記のように初期のＯ点（基準ホワイトポイント）に調整された各液晶表示パネルのホワイトポイントは、例えば図４（ｃ）中の略同じ位置のＡ’、Ｂ’に変化する。
【００５０】
Ａ’、Ｂ’のホワイトポイントを表示する液晶表示パネルＡ’、Ｂ’を、基準ホワイトポイントを表示するように再調整する方法は、上記手順（１）〜（３）と同様である。
【００５１】
次に前出の図１１（ａ）（ｂ）のＸＹ色度図（ＣＩＥ１９３１色度図）を用いて、初期の各パネルの表示ホワイトポイントを基準ホワイトポイントに一致させることができる調整範囲を説明する（以下「調整範囲」という。）。
【００５２】
図１１（ａ）において、Ｘ方向に伸びる２本の平行線と、Ｙ方向に伸びる２本の平行線で囲まれる領域は各液晶表示パネルに要求される表示ホワイトポイントの範囲とする（以下「要求スペック範囲」という。）。図１１（ｂ）は要求スペック範囲の拡大図である。本例の場合、要求スペック範囲は０．２４８≦Ｘ≦０．２６００、０．２７８≦Ｙ≦０．２９４０、である。（０．２５２５、０．２８６２）付近の点を便宜上基準ホワイトポイントとする。
【００５３】
また、上記要求スペック範囲の略楕円形内の領域は、ある市販の蛍光ランプ１２の表示ホワイトポイントを、ある市販のＬＥＤを複数のロッド状発光管２に用いて上記基準ホワイトポイントに一致させることができる領域を示す。この調整範囲は、ＬＥＤ４及び蛍光ランプ１２の色、輝度、出力等の性能により大きさ、形は変化し得る。
【００５４】
図３は上記図１２のヒストグラムをＸＹ色度図（ＣＩＥ１９３１色度図）上に表示した図であり、ある初期の液晶表示パネルの表示ホワイトポイントの分布を表す。本例では、中央の基準ホワイトポイントがＸ＝０．２９４、Ｙ＝０．３１２であり、これを囲む長方形の領域が要求スペック範囲、要求スペック範囲と交わる楕円形の領域が調整範囲である。
図３において上記要求スペック範囲及び調整範囲を囲む外側の楕円は、液晶表示パネルの表示ホワイトポイントを要求スペック範囲内に調整できる範囲を示している。
【００５５】
以上、液晶表示パネルの表示するホワイトポイントの初期ずれ及び経時変化を修正する方法（１）〜（３）及び例を説明したが、実際の手順は公知の輝度計及びコントローラを用いて容易に実行できる。輝度計を用いて液晶表示パネルの表示するホワイトポイントの色座標が直接表示でき、上記色座標のずれ（ΔＸ、ΔＹ）が（０，０）に近づくように各色ＬＥＤに流れる電流値を変化させ、色度を調整することができる。
【００５６】
以下に実施例において、２つの液晶表示パネル（PanelＡ，PanelＢ）について製造直後の初期ずれ状態、初期ずれ状態の修正、経時変化後の状態、経時変化の修正、の各状態を説明する。尚、下記実施例において、基準ホワイトポイントは（０．３００、０．３２０）である。
【００５７】
尚、上記実施形態及び下記する実施例では液晶表示パネルはモノクローム表示としたが、本発明の液晶表示パネルは３色以上のカラー表示であってもよい。また、基準とする色はホワイトポイントに限定されず、上記液晶表示パネルが表現し得る他のすべての色を基準色とすることができる。
【００５８】
上記実施形態及び下記する実施例ではＣＩＥ表色系を用いて発色光を定量化したが、Ｌ＊ａ＊ｂ＊表色系やＬ＊ｕ＊ｖ＊表色系等他の表色系を用いて色合わせを行なってもよい。
【００５９】
また、上記実施形態及び下記する実施例では直下方式のバックライトを用いて説明したが、本発明のバックライトはサイドライト方式であってもよい。例えば図７に表すように、２本の蛍光ランプ間にＬＥＤを複数個並置してもよい。又は図８に表すように、蛍光ランプを設置しない側面にＬＥＤを並置してもよい。この場合ＬＥＤの発光は導光板を必ずしも通す必要はなく、液晶表示パネルを重くすることなくホワイトポイントの微調整ができる。
【００６０】
その他、本発明は、その主旨を逸脱しない範囲で当業者の知識に基づき種々の改良、修正、変更を加えた態様で実施できるものである。
【実施例１】
【００６１】
表１は、上記製造直後の初期ずれ状態における液晶表示パネルＡ，Ｂの各状態であり、蛍光ランプのみが発光している。従って、ＲＧＢのＬＥＤは液晶表示パネルＡ，Ｂともに使用されておらず、蛍光ランプとＲＧＢのＬＥＤの消費電力は５０Ｗと０Ｗである。尚、蛍光ランプは消費電力５０Ｗで５００ｎｉｔの輝度である。
【００６２】
【表１】
2006127954.tif 000003
【実施例２】
【００６３】
表２は、液晶表示パネルＡの初期ずれ状態を上記方法により修正した後の液晶表示パネルＡ，Ｂの各状態を表す。液晶表示パネルＡの色度は基準ホワイトポイント（０．３００、０．３２０）に修正されている。ＲＧＢのＬＥＤを各６個、８個、２個点灯させて調節することで液晶表示パネルＡのホワイトポイントを基準ホワイトポイントに一致させている。しかしこの際、パネルの輝度を５００ｎｉｔに保つため、蛍光ランプとＲＧＢのＬＥＤの消費電力を４９Ｗと６Ｗに調節している。
【００６４】
また、液晶表示パネルＢについても液晶表示パネルＡと同様の調整を行なって、液晶表示パネルＢの色度を基準ホワイトポイント（０．３００、０．３２０）に修正した。
【００６５】
【表２】
2006127954.tif 000004
【実施例３】
【００６６】
表３は、上記実施例２の初期の状態から、液晶表示パネルＡ、Ｂを１００００時間使用した場合の経時変化後の状態を表す。輝度を１００００時間経過時点で５００ｎｉｔに合わせると、表３のような状態を得た。上述のように、液晶表示パネルＡ、Ｂの色度は、ＸＹ色度図（ＣＩＥ１９３１色度図）上で略同方向にずれる傾向がみられた。
【００６７】
【表３】
2006127954.tif 000005
【実施例４】
【００６８】
最後に表４は、経時変化後に液晶表示パネルＡ、Ｂの表示ホワイトポイントを基準ホワイトポイントに修正した結果を示す。ホワイトポイントを修正し、経時変化後に５００ｎｉｔを保持すると、初期ずれの修正の場合よりも、ＬＥＤの必要個数および消費電力は格段に多くなることがわかる。
【００６９】
【表４】
2006127954.tif 000006
【産業上の利用可能性】
【００７０】
本発明に係るバックライト及びこれを用いた液晶表示パネルは、すべての液晶表示セルに利用し得る。特にレントゲン画像を表示する医療用液晶表示パネル等、並置して複数の画面を比較するパネルに好適に利用し得る。
【図面の簡単な説明】
【００７１】
【図１】（ａ）本発明のバックライトの平面断面図である。（ｂ）本発明のバックライトに用いるロッド状発光管の側面図である。
【図２】本発明のバックライト及び液晶表示セルの分解断面の模式図である。
【図３】ホワイトポイントの初期ずれの分布を表すＸＹ色度図（ＣＩＥ１９３１色度図）の一部である。
【図４】（ａ）（ｂ）（ｃ）本発明の液晶表示セルの表示ホワイトポイントを基準ホワイトポイントに一致させる方法を示すＸＹ色度図の模式図である。
【図５】本発明のバックライトの別の実施態様を表す平面断面図である。
【図６】本発明のバックライトの更に別の実施態様を表す平面断面図である。
【図７】本発明のバックライトの更に別の実施態様を表す平面断面図である。
【図８】本発明のバックライトの更に別の実施態様を表す平面断面図である。
【図９】従来の直下方式のバックライトの分解斜視図である。
【図１０】従来のサイドライト方式のバックライトの分解斜視図である。
【図１１】（ａ）ＸＹ色度図（ＣＩＥ１９３１色度図）である。（ｂ）（ａ）のＸＹ色度図の一部である。
【図１２】ＸＹ色座標で表したホワイトポイントの初期ずれの分布を表すヒストグラムである。
【符号の説明】
【００７２】
１：バックライト（直下方式）
２：ロッド状発光管
４：ＬＥＤ
６、１０６：液晶表示パネル
１０：照明
１２：蛍光ランプ
１４：液晶表示セル
１６：反射シート
１８：拡散シート
２０：ライティングカーテン
５１、１５１：バックライト（サイドライト方式）
６０、１６０：導光板
１６２：ランプリフレクタ
【図１】
2006127954.tif 000007
【図２】
2006127954.tif 000008
【図３】
2006127954.tif 000009
【図４】
2006127954.tif 000010
【図５】
2006127954.tif 000011
【図６】
2006127954.tif 000012
【図７】
2006127954.tif 000013
【図８】
2006127954.tif 000014
【図９】
2006127954.tif 000015
【図１０】
2006127954.tif 000016
【図１１】
2006127954.tif 000017
【図１２】
2006127954.tif 000018